(57)【要約】【課題】シャフト間の物性の変化が少なく各シャフトの重量が精度良く調整されたシャフトセットが提供される。【解決手段】ゴルフクラブセットのためのシャフトセットは、長さの異なる複数のシャフト１２Ａ，１２Ｂ，１２Ｃから構成される。各シャフト１２Ａ，１２Ｂ，１２Ｃはいずれも、筒状に積層された複数の強化繊維層から形成されている。複数の強化繊維層は、ストレート層とバイアス層とフープ層を有している。シャフトセットのシャフト１２Ａ，１２Ｂ，１２Ｃは、長さの短いものほど、フープ層の重量が大きく、全体の重量が大きい。【選択図】図１
2013111403.tif 000002
【特許請求の範囲】
【請求項１】
複数の番手のゴルフクラブから構成されるゴルフクラブセットのためのシャフトセットであり、
長さの異なる複数のシャフトから構成され、
各シャフトは、筒状に積層された複数の強化繊維層から形成されており、
前記複数の強化繊維層は、少なくとも、シャフトの軸に平行に強化繊維が延びているストレート層と、シャフトの軸に対して斜めに強化繊維が延びているバイアス層と、シャフトの軸に対して垂直に強化繊維が延びているフープ層を有し、
前記複数のシャフトは、長さが短いものほど、前記フープ層の重量が大きく、全体の重量が大きい、シャフトセット。
【請求項２】
前記複数のシャフトは、それぞれ、前記フープ層の巻回数が異なっており、各フープ層の巻回数は任意の正の実数である、請求項１に記載のシャフトセット。
【請求項３】
各シャフトのフープ層の巻回数はいずれも１よりも大きく、前記複数のシャフトは、長さが短いものほど、前記フープ層の重ね代が大きい、請求項２に記載のシャフトセット。
【請求項４】
前記複数のシャフトは、それぞれ、前記複数の番手のゴルフクラブに対応している、請求項１〜３のいずれかひとつに記載のシャフトセット。
【請求項５】
前記複数のシャフトの少なくとも一つは、前記複数の番手のゴルフクラブのうちの連続する複数の番手のゴルフクラブに対応している、請求項１〜３のいずれかひとつに記載のシャフトセット。
【請求項６】
前記複数のシャフトは、それぞれ、前記複数の番手のゴルフクラブの一部を構成する連続する複数の番手のゴルフクラブに対応している、請求項１〜３のいずれかひとつに記載のシャフトセット。
【請求項７】
前記フープ層は、前記ストレート層と前記バイアス層の間に位置している、請求項１〜３のいずれかひとつに記載のシャフトセット。
【請求項８】
各シャフトは複数のストレート層を有し、前記フープ層は前記複数のストレート層の間に位置している、請求項１〜３のいずれかひとつに記載のシャフトセット。
【請求項９】
各シャフトは複数のバイアス層を有し、前記フープ層は前記複数のバイアス層の間に位置している、請求項１〜３のいずれかひとつに記載のシャフトセット。
【請求項１０】
前記フープ層は、各シャフトの軸に沿って離間して配置された複数の部分から構成される、請求項１〜３のいずれかひとつに記載のシャフトセット。
【請求項１１】
前記フープ層の各部分の巻回数が異なっている、請求項１〜３のいずれかひとつに記載のシャフトセット。
【発明の詳細な説明】
【技術分野】
【０００１】
本発明は、ゴルフクラブセットのためのシャフトセットに関する。
【背景技術】
【０００２】
特開２００９−２０７６１６号公報は、ゴルフクラブセットの各ゴルフクラブの使用感をゴルフクラブ間で大きく変化させずにシャフトの重量を変化させたゴルフクラブセットを開示している。このゴルフクラブセットでは、各シャフトは、繊維強化樹脂の筒状本体と、この筒状本体の内側に設けた質量調整材とから構成されている。筒状本体を構成する繊維強化樹脂は、で構成されている。ブレーディンク法により、シャフト毎に共通の材料で形成されている。
【先行技術文献】
【特許文献】
【０００３】
【特許文献１】特開２００９−２０７６１６号公報
【発明の概要】
【発明が解決しようとする課題】
【０００４】
繊維強化樹脂のブレーディンク法により、共通の材料としているため、番手ごとの要求特性に大きな差がつけ難く、また、番手ごとのシャフトの物性（曲げ剛性、振動数、捩り剛性）を調整することができず、スイングし難いゴルフクラブセットとなる。
【０００５】
また、重量変化のため、質量調整体の長さを変えたり、（周方向全体）厚さを変えると、シャフト毎に曲げ剛性が変化したり、撓み（曲がり）位置が変化したりしやすく、番手ごとにスイングの調整が必要なゴルフクラブセットになる。
【０００６】
本発明は、このような実状を考慮して成されたものであり、その目的は、シャフト間の物性の変化が少なく各シャフトの重量が精度良く調整されたシャフトセットを提供することである。
【課題を解決するための手段】
【０００７】
本発明は、複数の番手のゴルフクラブから構成されるゴルフクラブセットのためのシャフトセットである。シャフトセットは、長さの異なる複数のシャフトから構成され、各シャフトは、筒状に積層された複数の強化繊維層から形成されている。前記複数の強化繊維層は、少なくとも、シャフトの軸に平行に強化繊維が延びているストレート層と、シャフトの軸に対して斜めに強化繊維が延びているバイアス層と、シャフトの軸に対して垂直に強化繊維が延びているフープ層を有している。前記複数のシャフトは、長さが短いものほど、前記フープ層の重量が大きく、全体の重量が大きい。
【発明の効果】
【０００８】
本発明によれば、シャフト間の物性の変化が少なく各シャフトの重量が精度良く調整されたシャフトセットが提供される。
【図面の簡単な説明】
【０００９】
【図１】ゴルフクラブセットの一例を示している。
【図２】シャフトセットの一例を示している。
【図３Ａ】図２に示された低番手のゴルフクラブ用のシャフトのＡ−Ａ線に沿った断面を模式的に示している。
【図３Ｂ】図２に示された中番手のゴルフクラブ用のシャフトのＢ−Ｂ線に沿った断面を模式的に示している。
【図３Ｃ】図２に示された高番手のゴルフクラブ用のシャフトのＣ−Ｃ線に沿った断面を模式的に示している。
【図４】図２の各シャフトを形成するために使用される複数の強化繊維シートの構成例を示している。
【図５】図２の各シャフトを形成するために使用される複数の強化繊維シートの別の構成例を示している。
【発明を実施するための形態】
【００１０】
以下、図面を参照しながら本発明の実施形態について説明する。
【００１１】
ゴルフクラブセットは、複数の番手のゴルフクラブから構成される。ゴルフクラブセットの一例を図１に示す。このゴルフクラブセットは、たとえば、アイアンセットであり、図１に示されるように、３〜９番アイアン＃３〜＃９とピッチングウェッジＰＷとアプローチウェッジＡＷとサンドウェッジＳＷの１０本のアイアンで構成されている。アイアンセットの構成はこれに限らない。たとえば、これらのうちのいくつかが省略されてもよい。アイアンセットは、別の例では、６〜９番アイアン＃６〜＃９とピッチングウェッジＰＷの５本のアイアンから構成されてもよい。また、１，２番アイアンやロブウェッジなど、他のゴルフクラブが追加されてもよい。
【００１２】
各ゴルフクラブは、基本的に、シャフト１２と、シャフト１２の先端部に取り付けられたヘッド１４と、シャフト１２の後端部に設けられたグリップ１６から構成される。
【００１３】
ゴルフクラブセットのためのシャフトセットは、長さの異なる複数のシャフトから構成される。シャフトセットの一例を図２に示す。このシャフトセットは、長さの異なる複数のシャフト１２Ａ，１２Ｂ，１２Ｃから構成されている。各シャフト１２Ａ，１２Ｂ，１２Ｃは、ヘッド側すなわち先側が小径・肉厚に形成され、グリップ側すなわち元側が大径・肉薄に形成されている。ここで、便宜上、シャフト１２Ａが、低番手のゴルフクラブ用のシャフトを表し、シャフト１２Ｂが、中番手のゴルフクラブ用のシャフトを表し、シャフト１２Ｃが、高番手のゴルフクラブ用のシャフトを表している。
【００１４】
図２には、例示的に、３本のシャフトから構成されたシャフトセットが図示されているが、シャフトセットを構成するシャフトの本数はこれに限らない。シャフトセットは、３本よりも多い本数のシャフトで構成されてもよく、また反対に、２本のシャフトで構成されてもよい。
【００１５】
たとえば、シャフトセットを構成する複数のシャフトは、それぞれ、ゴルフクラブセットを構成する複数の番手のゴルフクラブに対応していてもよい。たとえば、シャフトセットが１０本のシャフトから構成され、１０本のシャフトが、それぞれ、前述した３〜９番アイアン＃３〜＃９とピッチングウェッジＰＷとアプローチウェッジＡＷとサンドウェッジＳＷの１０本のゴルフクラブに対応していてもよい。
【００１６】
また、シャフトセットを構成する複数のシャフトの少なくとも一つは、ゴルフクラブセットを構成する複数の番手のゴルフクラブのうちの連続する複数の番手のゴルフクラブに対応していてもよい。たとえば、シャフトセット中の１本のシャフトが、７〜９番アイアン＃７〜＃９に対応していてもよい。他の各シャフトは、連続する別の複数の番手のゴルフクラブに対応していてもよく、または、別の番手の１本のゴルフクラブに対応していてもよい。
【００１７】
さらには、シャフトセットを構成する複数のシャフトは、それぞれ、ゴルフクラブセットを構成する複数の番手のゴルフクラブの一部を構成する連続する複数の番手のゴルフクラブに対応してもよい。たとえば、シャフトセットが３本のシャフトから構成され、それらのうちの１本のシャフトが３〜６番アイアン＃３〜＃６に対応し、別の１本のシャフトが７〜９番アイアン＃７〜＃９に対応し、残りの１本のシャフトがピッチングウェッジＰＷとアプローチウェッジＡＷとサンドウェッジＳＷに対応していてもよい。
【００１８】
図２のシャフトセットは、最後の構成例に該当し、シャフト１２Ａが３〜６番アイアン＃３〜＃６に対応し、シャフト１２Ｂが７〜９番アイアン＃７〜＃９に対応し、シャフト１２ＣがピッチングウェッジＰＷとアプローチウェッジＡＷとサンドウェッジＳＷに対応している。
【００１９】
図３Ａは、図２に示された低番手のゴルフクラブ用のシャフト１２ＡのＡ−Ａ線に沿った断面を模式的に示し、図３Ｂは、図２に示された中番手のゴルフクラブ用のシャフト１２ＢのＢ−Ｂ線に沿った断面を模式的に示し、図３Ｃは、図２に示された高番手のゴルフクラブ用のシャフト１２ＣのＣ−Ｃ線に沿った断面を模式的に示している。図３Ａ，３Ｂ，３Ｃに示されるように、各シャフト１２Ａ，１２Ｂ，１２Ｃはいずれも、筒状に積層された複数の強化繊維層から形成されている。各強化繊維層は、平行に延びる多数の強化繊維を含んでいる。複数の強化繊維層は、ストレート層ＳＬとバイアス層ＢＬとフープ層ＨＬを有している。
【００２０】
ストレート層ＳＬは、曲げ剛性強化のために設けられ、シャフトの軸に平行に強化繊維が延びている。すなわち、ストレート層ＳＬの強化繊維は、シャフトの軸にほとんど平行にシャフトの軸の周囲に位置している。
【００２１】
バイアス層ＢＬは、捩れ剛性強化のために設けられ、シャフトの軸に対して斜めに強化繊維が延びている。すなわち、バイアス層ＢＬの強化繊維は、シャフトの軸の周囲を、螺旋状に周回している。
【００２２】
ストレート層ＳＬとバイアス層ＢＬは本体層を形成している。ここで、本体層とは、シャフトの全長の８０％以上にわたって延在しており、シャフトの全体の剛性を実質的に担う層を指している。
【００２３】
フープ層ＨＬは、重量調整のために設けられ、シャフトの軸に対して垂直に強化繊維が延びている。すなわち、フープ層ＨＬの強化繊維は、シャフトの軸の周囲を、シャフトの軸に垂直な平面に平行に周回している。
【００２４】
図３Ａ，３Ｂ，３Ｃには示されていないが、シャフトを形成する複数の強化繊維層は、ストレート層ＳＬとバイアス層ＢＬとフープ層ＨＬのほかに、シャフトの先側の剛性強化のための補強層と、シャフトの先側の外径を調整するための外径調整層を有している。これらの補強層と外径調整層は、シャフトの先側に部分的に積層される。外径調整層は、ヘッド１４の取り付けの際に、ヘッド１４に設けられた取り付け穴に合わせて適宜削られる。
【００２５】
フープ層ＨＬは、図３Ａ，３Ｂ，３Ｃに示されるように、ストレート層ＳＬとバイアス層ＢＬの間に配置されてよい。しかし、フープ層ＨＬの位置はこれに限らない。たとえば、フープ層ＨＬは、ストレート層ＳＬとバイアス層ＢＬの内側に配置されてもよく、また、ストレート層ＳＬとバイアス層ＢＬの内側に配置されてもよい。
【００２６】
シャフトの断面構造を模式的に示すために、図３Ａ，３Ｂ，３Ｃにはストレート層ＳＬとバイアス層ＢＬとフープ層ＨＬが一つずつ描かれているが、それらはいずれも複数の層から構成されてもよい。さらに、フープ層ＨＬは、ストレート層ＳＬを構成する複数の層の間に配置されてもよく、また、バイアス層ＢＬを構成する複数の層の間に配置されてもよい。
【００２７】
シャフトは、その物性（曲げ剛性、振動数）が異方性をもたないことが要求される。つまり、シャフトの物性は、曲がり方向によらずに、同じであることが求められる。このため、ストレート層の巻回数はいずれも実質的に正の整数に等しい方が良い。
【００２８】
シャフトの長さはゴルフクラブの番手ごとに異なる。番手の異なるゴルフクラブ間におけるスイングの感覚の変化を少なく抑えるために、低番手のゴルフクラブ用の長いシャフトは軽く、高番手のゴルフクラブ用の短いシャフトは重いとよい。
【００２９】
このため、シャフトセットのシャフトは、長さの短いものほど、フープ層の重量が大きく、全体の重量が大きい。つまり、短いシャフトは長いシャフトに比べてフープ層の重量が大きく、そのフープ層の重量の差は、長さの減少に起因するストレート層とバイアス層の重量の減少よりも大きい。たとえば、図２のシャフトセットでは、シャフト１２Ｂのフープ層ＨＬの重量は、ストレート層ＳＬとバイアス層ＢＬの重量の減少分を超えて、シャフト１２Ａのフープ層ＨＬの重量よりも大きく、同様に、シャフト１２Ｃのフープ層ＨＬの重量は、ストレート層ＳＬとバイアス層ＢＬの重量の減少分を超えて、シャフト１２Ｂのフープ層ＨＬの重量よりも大きい。
【００３０】
ゴルフクラブセットは、たとえば、３アイアン＃３とサンドウェッジＳＷの間に３〜５ｇの重量差を与えるように設計される。このため、図２のゴルフクラブセットでは、シャフト１２Ｃはシャフト１２Ａよりも３〜１５ｇ重く設計される。また、シャフトセットのシャフトがゴルフクラブセットのゴルフクラブに１対１で対応している構成では、隣接する番手間にたとえば０．１〜３．０ｇ程度の重量差をつけて設計される。
【００３１】
フープ層の重量の違いは、シャフトセットのシャフトごとにフープ層の巻回数を変えることにより達成される。つまり、シャフトセットの複数のシャフトは、それぞれ、フープ層の巻回数が異なっている。フープ層の強化繊維はシャフトの軸に垂直に延びているので、フープ層の巻回数の変化はシャフトの物性の異方性を引き起こさない。したがって、フープ層の巻回数は任意に設定してよい。つまり、フープ層の巻回数は、ストレート層とバイアス層の巻回数とは異なり、正の整数である必要はなく、任意の正の実数であってよい。これにより、シャフトセットの各シャフトの重量を細かく調整することができる。
【００３２】
シャフトセットの各シャフトのフープ層ＨＬの巻回数がいずれも１よりも大きい場合には、フープ層の巻回数の違いは、フープ層の重ね代の違いととらえてよい。シャフトセットのシャフトは、長さの短いものほど、フープ層の重ね代が大きい。たとえば、図２のシャフトセットでは、図３Ａ，３Ｂ，３Ｃを比較してわかるように、シャフト１２Ｂのフープ層ＨＬの重ね代ｗｂは、シャフト１２Ａのフープ層ＨＬの重ね代ｗａよりも大きく、シャフト１２Ｃのフープ層ＨＬの重ね代ｗｃは、シャフト１２Ｂのフープ層ＨＬの重ね代ｗｂよりも大きい。
【００３３】
さらに、フープ層の巻回数は、シャフトの軸に沿って一定であってもよく、また、シャフトの先側と元側で異なっていてもよい。以下に、３番アイアン＃３と７番アイアン＃７とピッチングウェッジＰＷにそれぞれ対応するシャフトの間における先側と元側のフープ層の巻回数のいくつかの変化例を示す。
【００３４】
【表１】
2013111403.tif 000003
【００３５】
この例では、各シャフトのフープ層の巻回数は、シャフトの軸に沿って一定であり、シャフトの先側と元側で等しい。このようなシャフトセットでは、シャフト間の重心位置の変化が少なく、バランスポイントがシャフト間で変化し難くため、スイング感が一定に保たれやすい。
【００３６】
【表２】
2013111403.tif 000004
【００３７】
この例では、各シャフトのフープ層の巻回数は、シャフトの先側と元側で異なっており、元側の巻回数だけがシャフト間で変化している。このようなシャフトセットは、低番手のゴルフクラブほどヘッド側の重量を軽くできるため、飛距離の向上が期待できる。また、高番手のゴルフクラブほどヘッド側の重量を重くできるため、方向性の向上が期待できる。
【００３８】
【表３】
2013111403.tif 000005
【００３９】
この例では、各シャフトのフープ層の巻回数は、シャフトの先側と元側で異なっており、元側の巻回数に比べて先側の巻回数が大きくシャフト間で変化している。このようなシャフトセットは、低番手のゴルフクラブほどヘッド側の重量を重くできるため、方向性の向上が期待できる。また、高番手のゴルフクラブほどヘッド側の重量を軽くできるため、飛距離の向上が期待できる。
【００４０】
シャフトは、テーパー部を有するマンドレルと呼ばれる芯金に、複数の強化繊維シートを巻回し、巻回した強化繊維シートを硬化させることによって形成される。
【００４１】
図４は、図２の各シャフトを形成するために使用される複数の強化繊維シートの構成例を、これらの強化繊維シートが巻回されるマンドレルと共に示している。この構成例における複数の強化繊維シートは、前述したバイアス層を形成するバイアスシートＢＳと、前述したフープ層を形成するフープシートＨＳと、前述したストレート層を形成するストレートシートＳＳと、前述した補強層を形成する補強シートＲＳと、前述した外径調整層を形成する外径調整シートＡＳから構成される。
【００４２】
これらの強化繊維シートＢＳ，ＨＳ，ＳＳ，ＲＳ，ＡＳは、プリプレグシートを裁断して形成される。プリプレグシートとは、平行に延びる多数の強化繊維に合成樹脂を含浸した形成されたシートである。プリプレグシートは、各種メーカーから供給されており、工業的に入手可能である。プリプレグシートには、繊維、繊維弾性率、樹脂含有量、繊維目付などの違いにより、さまざまな種類がある。つまり、各強化繊維シートＢＳ，ＨＳ，ＳＳ，ＲＳ，ＡＳは、設計に基づいて、多数あるが数限られた種類のプリプレグシートの中から適当なプリプレグシートを選択し、選択したプリプレグシートを適当なパターンに裁断することにより形成される。
【００４３】
ストレートシートＳＳと補強シートＲＳと外径調整シートＡＳの強化繊維は、そのシートの長手方向に延びている。ここで、シートの長手方向とは、シートがマンドレルＭに巻回された際にマンドレルＭの軸に平行になる方向を言う。フープシートＨＳの強化繊維は、そのシートの長手方向に垂直に延びている。バイアスシートＢＳの強化繊維は、そのシートの長手方向に斜めに延びている。バイアスシートＢＳは、通常、その長手方向に対して、強化繊維が＋３５度〜＋５５度の範囲で延びるシートと、強化繊維が−３５度〜−５５度の範囲で延びるシートを積層して形成される。
【００４４】
フープシートＨＳは、強化繊維がシートの長手方向に垂直に延びているため、他のシートに比べるとマンドレルＭに巻回しにくい。このため、フープシートＨＳは、通常、ストレートシートＳＳまたはバイアスシートＢＳに重ねてマンドレルＭに巻回される。
【００４５】
バイアスシートＢＳとフープシートＨＳとストレートシートＳＳは同じ長さであり、実質的にクラブの全長と同じである。したがって、形成されるバイアス層とフープ層とストレート層は、クラブの全長にわたって延びている。また、補強シートＲＳと外径調整シートＡＳは、クラブの全長に対して比較的短く、クラブの先側に配置される。したがって、形成される補強層と外径調整層は、クラブの先側だけに部分的に存在する。
【００４６】
図４には、バイアスシートＢＳとフープシートＨＳとストレートシートＳＳと補強シートＲＳと外径調整シートＡＳは一つずつ描かれているが、これは理解を容易にするための便宜的な例示であり、これらはいずれも複数のシートから構成されてよい。
【００４７】
図５は、図２の各シャフトを形成するために使用される複数の強化繊維シートの別の構成例を示している。この構成例における複数の強化繊維シートは、図４のシート構成に加えて、複数の部分的フープシートＰＨＳ１，ＰＨＳ２，ＰＨＳ３を有している。すなわち、複数の強化繊維シートは、バイアスシートＢＳと、フープシートＨＳと、部分的フープシートＰＨＳ１，ＰＨＳ２，ＰＨＳ３と、ストレートシートＳＳと、補強シートＲＳと、外径調整シートＡＳから構成される。
【００４８】
部分的フープシートＰＨＳ１，ＰＨＳ２，ＰＨＳ３は、フープシートＨＳと共に、フープ層ＨＬを形成する。また、フープシートＨＳは、省略されてもよい。
【００４９】
部分的フープシートＰＨＳ１，ＰＨＳ２，ＰＨＳ３は、マンドレルＭの軸に沿って間隔を置いて巻回される。したがって、部分的フープシートＰＨＳ１，ＰＨＳ２，ＰＨＳ３によって形成されるフープ層は、シャフトの軸に沿って離間して配置された複数の部分から構成される。
【００５０】
部分的フープシートＰＨＳ１，ＰＨＳ２，ＰＨＳ３は、マンドレルＭの軸に沿った寸法が互いに重なるほど長く、部分的に重ねて巻回されてもよい。この場合、部分的フープシートＰＨＳ１，ＰＨＳ２，ＰＨＳ３によって形成されるフープ層は、シャフトの軸に沿って部分的に重なる複数の部分から構成される。
【００５１】
部分的フープシートＰＨＳ１，ＰＨＳ２，ＰＨＳ３の一部は省略されてもよい。この場合、部分的フープシートＰＨＳ１，ＰＨＳ２，ＰＨＳ３によって形成されるフープ層は、シャフトの全長の一部に部分的に設けられる。
【００５２】
部分的フープシートＰＨＳ１，ＰＨＳ２，ＰＨＳ３の巻回数は、一例では、同じであってよい。この場合、部分的フープシートＰＨＳ１，ＰＨＳ２，ＰＨＳ３によって形成されるフープ層の各部分の巻回数は同じである。
【００５３】
部分的フープシートＰＨＳ１，ＰＨＳ２，ＰＨＳ３の巻回数は、別の例では、重心位置の調整のために異なっていてもよい。この場合、部分的フープシートＰＨＳ１，ＰＨＳ２，ＰＨＳ３によって形成されるフープ層の各部分の巻回数は異なっている。
【００５４】
以上に説明したように、この実施形態のシャフトセットでは、各シャフトの重量が、フープ層によって調整されている。フープ層は、シャフトの軸に対して垂直に強化繊維が延びており、シャフトの物性（曲げ剛性、振動数、捩り剛性など）を実質的に変化させない。したがって、各シャフトのフープ層の巻回数を１未満で変化させることによって、各シャフトの重量を精度良く、また、シャフト間の重量差を細かく調整することができる。
【００５５】
また、フープ層の巻回数を１以上に設定することによって、シャフトのつぶし強変の向上を図ることができる。
【００５６】
さらに、先側と元側でフープ層の巻回量を変えることによって、またはフープ層を複数の部分で構成することによって、シャフトの重心位置を容易に調整することができる。
【００５７】
これまで、図面を参照しながら実施形態を述べたが、本発明は、実施形態に限定されるものではなく、その要旨を逸脱しない範囲において様々な変形や変更が施されてもよい。
【符号の説明】
【００５８】
１２，１２Ａ，１２Ｂ，１２Ｃ…シャフト、１４…ヘッド、１６…グリップ、ＢＬ…バイアス層、ＳＬ…ストレート層、ＨＬ…フープ層、ＢＳ…バイアスシート、ＳＳ…ストレートシート、ＨＳ…フープシート、ＲＳ…補強シート、ＡＳ…外径調整シート、ＰＨＳ１，ＰＨＳ２，ＰＨＳ３…部分的フープシート。
【図１】
2013111403.tif 000006
【図２】
2013111403.tif 000007
【図３Ａ】
2013111403.tif 000008
【図３Ｂ】
2013111403.tif 000009
【図３Ｃ】
2013111403.tif 000010
【図４】
2013111403.tif 000011
【図５】
2013111403.tif 000012